(57)【要約】      （修正有）【課題】高速で且つ耐久性が良く騒音の少ないサクション装置を提供する。【解決手段】サーボモータにより筒状体２０と接触することなく回転駆動され、吸着口２２にフィン形成部分１０ａが進入してきたとき、開口部２４，２４からの空気の吸い込みを遮断して、フィン形成部分１０ａを吸着口２２に吸着し、吸着口２２に吸着したフィン形成部分１０ａを熱交換器用フィンＦに形成したとき、開口部２４，２４から空気を吸い込み、熱交換器用フィンＦをスタック装置に払出するロータリー式遮蔽板３４ａ，３４ｂ，３４ｃとを具備し、吸着口２２にフィン形成部分１０ａが進入してきたとき、ロータリー式遮蔽板３４ａ，３４ｂ，３４ｃを吸着位置とし、熱交換器用フィンＦに切断されたとき、ロータリー式遮蔽板３４ａ，３４ｂ，３４ｃを払出位置とするように、サーボモータを制御する制御部が設けられている。【選択図】図４
2009226418.tif 000002
【特許請求の範囲】
【請求項１】
複数のカラー付透孔が形成された金属帯状体を所定長さに切断して熱交換器用フィンを製造する熱交換器用フィンの製造装置に用いられ、前記熱交換器用フィンをスタック装置に払い出すサクション装置であって、
前記サクション装置には、前記金属帯状体を切断して熱交換器用フィンとするフィン形成部分が進入可能の位置に開口され、進入してきた前記フィン形成部分を吸着する吸着口と、前記フィン形成部分が進入することのない位置に開口された開口部と、前記吸着口及び開口部から空気を吸い込む吸引装置とが設けられた筒状体と、
電動モータによって前記筒状体と当接することなく回転駆動又は揺動駆動され、前記吸着口にフィン形成部分が進入してきたとき、前記開口部からの空気の吸い込みを遮断して、前記フィン形成部分を吸着口に吸着可能とし、前記吸着口に吸着されたフィン形成部分を所定長さに切断して熱交換器用フィンに形成したとき、前記開口部から空気を吸い込み、前記吸着口に吸着していた熱交換器用フィンをスタック装置に払出可能とする遮蔽板とを具備し、
且つ前記吸着口にフィン形成部分が進入してきたとき、前記遮蔽板を吸着位置とし、前記フィン形成部分が熱交換器用フィンに切断されたとき、前記遮蔽板を払出位置とするように、前記電動モータの駆動を制御する制御部が設けられていることを特徴とするサクション装置。
【請求項２】
遮蔽板が、開口部を開閉できる位置に設けられている請求項１記載のサクション装置。
【請求項３】
複数枚の遮蔽板が回転可能又は揺動可能に設けられ、前記遮蔽板の各々が同期されて回転駆動又は揺動駆動される請求項１又は請求項２記載のサクション装置。
【請求項４】
遮蔽板が、一方向に回転可能に設けられているロータリー式遮蔽板である請求項１〜３のいずれか一項記載のサクション装置。
【請求項５】
電動モータが、サーボモータである請求項１〜４のいずれか一項記載のサクション装置。
【請求項６】
金属帯状体に複数のカラー付透孔を形成し且つ前記金属帯状体を所定長さに切断して熱交換器用フィンを製造するプレス装置と、前記熱交換器用フィンをスタック装置に払い出すサクション装置とを具備する熱交換器用フィンの製造装置であって、
前記サクション装置には、請求項１〜５のいずれか一項記載のサクション装置が用いられていることを特徴とする熱交換器用フィンの製造装置。
【発明の詳細な説明】
【技術分野】
【０００１】
本発明はサクション装置及び熱交換器用フィン製造装置に関し、更に詳細には複数のカラー付透孔が形成された金属帯状体を所定長さに切断して熱交換器用フィンを製造する熱交換器用フィン製造装置に用いられ、前記熱交換器用フィンをスタック装置に払い出すサクション装置、及び前記サクション装置を用いた熱交換器用フィンの製造装置に関する。
【背景技術】
【０００２】
温調装置の熱交換器に用いられる熱交換器用フィンは、短冊状の金属プレートに熱熱交換チューブが挿入される複数のカラー付透孔が長手方向に形成されている。かかる熱交換器用フィンは、例えば下記特許文献１に記載されている熱交換器用フィンの製造装置によって製造される。
かかる熱交換器用フィンの製造装置の概略を図５に示す。図５に示す熱交換器用フィンの製造装置では、金属帯状体が巻かれたコイルから引き出した金属帯状体１００をプレス装置１０４に供給する。プレス装置１０４では、金属帯状体１００に複数のカラー付透孔を形成した後、切断刃１０６によって金属帯状体１００を所定長さに切断して熱交換器用フィンを形成する。形成された熱交換器用フィンは、プレス装置１０４に併設されたサクション装置１０８に一旦吸着された後、スタック装置１１０に収容される。
【０００３】
かかるサクション装置１０８は、図６に示す様に、熱交換器用フィンを吸着する吸着口１１２が下面に形成された筒状体１１４が設けられている。この吸着口１１２には、多数個の貫通孔が形成された多孔プレートが設けられている。
更に、筒状体１１４の側面側には、開口部１１６，１１６が開口されている。この開口部１１６，１１６には、開口部１１６，１１６の各周縁部近傍に先端部が当接して開閉する遮蔽板１１８，１１８が回動自在に設けられている。かかる遮蔽板１１８，１１８は、同一方向に回動されるように、図示しないシリンダ装置によって回動駆動される。
筒状体１１４の上部には、モータ１２０によって駆動される排気ファン１２２が装着されて排気ダクト１２４が設けられている。このため、排気ファン１２２を駆動し、吸着口１１２及び開口部１１６，１１６から吸引された空気は、排気ダクト１２４の排気口１２６から排出される。
【特許文献１】特開２００２−１７８０６５号公報
【発明の開示】
【発明が解決しようとする課題】
【０００４】
図６に示すサクション装置１０８によれば、排気ファン１２２を駆動すると共に、図７（ａ）に示す様に、シリンダ装置（図示せず）を駆動し、遮蔽板１１８，１１８の先端部が開口部１１６，１１６の各周縁部近傍に当接する方向に遮蔽板１１８，１１８を回動して開口部１１６，１１６を閉塞すると、実質的に吸着口１１２のみから空気が吸い込まれるため、吸着口１１２に金属帯状体１００から切断された熱交換器用フィンを吸着できる。
一方、開口部１１６，１１６を遮蔽していた遮蔽板１１８，１１８を、図７（ｂ）に示す様に、開口部１１６，１１６が開口する方向にシリンダ装置（図示せず）を駆動すると、実質的に開口された開口部１１６，１１６のみから空気を吸い込み、吸着口１１２から空気を吸い込まなくなる。このため、吸着口１１２に吸着されていた熱交換器用フィンは、自重で落下してスタック装置１１０に収容される。
【０００５】
ところで、近年、熱交換器フィンの製造装置でも、プレス装置１０４の回転速度を高速化して、熱交換器用フィンの製造速度を高速化することが検討されている。
かかる熱交換器用フィンの製造速度を高速化する際に、従来のサクション装置１０８の高速化には限界が存在することが判明した。
更に、熱交換器用フィンの製造速度の高速化は、遮蔽板１１８，１１８と筒状体１１４との当接回数が増加し、その耐久性と騒音とが問題である。
そこで、本発明は、プレス装置等の加工速度に比較して低速で且つ耐久性や騒音が問題となる従来のサクション装置の課題を解決し、プレス装置等の加工速度に対応でき、熱交換器用フィンの製造速度の高速化を図ることのできるサクション装置、及び前記サクション装置を用いた熱交換器用フィンの製造装置を提供することを目的とする。
【課題を解決するための手段】
【０００６】
本発明者等は、前記課題を解決すべく検討したところ、サクション装置の筒状体に形成された開口部を開閉する遮蔽板を電動モータで筒状体に当接することなく回転駆動又は揺動駆動する遮蔽板を採用することが有効であることを知った。
本発明者等は、更に回転駆動又は揺動駆動する遮蔽板について検討を重ねた結果、筒状体の吸着口にフィン形成部分が進入してきたとき、開口部を遮蔽板によって閉塞して、吸着口にフィン形成部分を吸着可能とし、フィン形成部分が熱交換器用フィンに切断されたとき、開口部が開放される位置に遮蔽板を回転又は揺動して、吸着口から熱交換器用フィンを払い出すことができる。
しかも、かかる遮蔽板によれば、サクション装置での処理速度の高速化が可能となり、且つ遮蔽板と筒状体との当接に因る耐久性・騒音の問題も解消できることを見出し、本発明に到達した。
【０００７】
すなわち、本発明は、複数のカラー付透孔が形成された金属帯状体を所定長さに切断して熱交換器用フィンを製造する熱交換器用フィンの製造装置に用いられ、前記熱交換器用フィンをスタック装置に払い出すサクション装置であって、前記サクション装置には、前記金属帯状体を切断して熱交換器用フィンとするフィン形成部分が進入可能の位置に開口され、進入してきた前記フィン形成部分を吸着する吸着口と、前記フィン形成部分が進入することのない位置に開口された開口部と、前記吸着口及び開口部から空気を吸い込む吸引装置とが設けられた筒状体と、電動モータによって前記筒状体と当接することなく回転駆動又は揺動駆動され、前記吸着口にフィン形成部分が進入してきたとき、前記開口部からの空気の吸い込みを遮断して、前記フィン形成部分を吸着口に吸着可能とし、前記吸着口に吸着されたフィン形成部分を所定長さに切断して熱交換器用フィンに形成したとき、前記開口部から空気を吸い込み、前記吸着口に吸着していた熱交換器用フィンをスタック装置に払出可能とする遮蔽板とを具備し、且つ前記吸着口にフィン形成部分が進入してきたとき、前記遮蔽板を吸着位置とし、前記フィン形成部分が熱交換器用フィンに切断されたとき、前記遮蔽板を払出位置とするように、前記電動モータの駆動を制御する制御部が設けられていることを特徴とするサクション装置にある。
【０００８】
また、本発明は、金属帯状体に複数のカラー付透孔を形成し且つ前記金属帯状体を所定長さに切断して熱交換器用フィンを製造するプレス装置と、前記熱交換器用フィンをスタック装置に払い出すサクション装置とを具備する熱交換器用フィンの製造装置であって、前記サクション装置には、前述したサクション装置が用いられていることを特徴とする熱交換器用フィンの製造装置でもある。
【０００９】
かかる本発明において遮蔽板を、開口部を開閉できる位置に設けることによって、開口部から空気の吸入・遮断を確実に行うことができる。
更に、複数枚の遮蔽板を回転可能に設け、前記遮蔽板の各々を同期して回転駆動又は揺動駆動することによって、フィン形成部の吸着部への吸着及び熱交換器用フィンの吸着部からの払出を迅速に行うことができる。
また、遮蔽板を、一方向に回転可能に設けられているロータリー式遮蔽板とすることによって、サクション装置での処理速度の更に一層の高速化を図ることができる。
尚、電動モータとして、サーボモータを好適に用いることができる。
【発明の効果】
【００１０】
本発明に係るサクション装置によれば、電動モータにより筒状体に当接することなく回転駆動又は揺動駆動される遮蔽板によって、金属帯状体のフィン形成部分が進入してきたとき、フィン形成部分を吸着口にフィン形成部分を吸着できるように、開口部からの空気の吸い込みを遮断し、吸着口に吸着されたフィン形成部分が切断されて熱交換器用フィンに形成されたとき、開口部から空気を吸い込み、吸着口から熱交換器用フィンを払い出すことができる。
このため、本発明に係るサクション装置では、遮蔽板をシリンダ装置によって開口部を開閉する従来のサクション装置に比較して、その処理の高速化を図ることができる結果、プレス装置等の高速化に対応可能である。
更に、本発明に用いる遮蔽板は、筒状体に当接することなく回転又は揺動するため、遮蔽板と筒状体との当接に因る耐久性・騒音の課題を解決できる。
【発明を実施するための最良の形態】
【００１１】
本発明に係るサクション装置を用いた熱交換器用フィンの製造装置の一例を図１に示す。図１に示す熱交換器用フィンの製造装置では、金属帯状体を巻いたコイル１１から引き出された金属帯状体１０は張力等が調整されてプレス装置１２に供給される。プレス装置１２では、供給された金属帯状体１０に金型によって多数個のカラー付透孔が形成された後、プレス装置１２に設けられた切断刃（図示せず）によって所定幅に切断されて複数本の長尺体から成るフィン形成部分が形成される。かかるフィン形成部分は、サクション装置１４に順次進入し、所定長さのフィン形成部分が進入したとき、プレス装置１２に設けられた切断刃によって所定長さの熱交換器用フィンに切断される。
サクション装置１４では、進入した金属帯状体１０のフィン形成部分を吸着し、切断された熱交換器用フィンをスタック装置１８に払い出す。かかるサクション装置１４のフィン形成部分の吸着及び熱交換器用フィンの払出は、プレス装置１２の動作と同期するように制御部によって制御されている。
【００１２】
図１に示す熱交換器用フィンの製造装置１２のサクション装置１４は、図２に示す様に、筒状体２０の下面側に吸着口２２が形成され、筒状体２０の側面側には開口部２４，２４が形成されている。吸着口２２には、図６に示す従来のサクション装置１０８と同様に、多数個の貫通孔が形成された多孔プレートが設けられている。
この筒状体２０の上部には、モータ２６によって駆動される排気ファン２８が装着されている排気ダクト３０が設けられている。このため、排気ファン２８を駆動し、吸着口２２及び開口部２４，２４から吸引された空気は、排気ダクト３０の排気口３２から排出される。
かかる筒状体２０の吸着口２２の上方には、図３に示す様に、一方向に回転可能に設けられているロータリー式遮蔽板３４ａ，３４ｂ，３４ｃが筒状体２０に掛け渡されたシャフトに回転可能に装着されている。このロータリー式遮蔽版３４ａ，３４ｂ，３４ｃは、吸着口２２に沿って装着されている。
かかるロータリー式遮蔽版３４ａ，３４ｂ，３４ｃは、ロータリー式遮蔽板同士は勿論のこと、筒状体２０の内壁面とも接触することなく回転する。このロータリー式遮蔽版３４ａ，３４ｂ，３４ｃのうち、ロータリー式遮蔽版３４ａ，３４ｃは、開口部２４，２４の各々を開閉する遮蔽板である。
ロータリー式遮蔽版３４ａ，３４ｂ，３４ｃの各々が装着されたシャフト３６ａ，３６ｂ，３６ｃは、その一端部が筒状体２０の側面側に突出している。このシャフト３６ａ，３６ｂ，３６ｃの各端部には、図２に示す様に、プーリ３８ａ，３８ｂ，３８ｃが装着されている。
【００１３】
かかるプーリ３８ａ，３８ｂ，３８ｃが装着されている筒状体２０の上部には、電動モータとしてのサーボモータ４０が設けられている。このサーボモータ４０の動力は、ベルト４２ａを介してプーリ３８ａに伝達される。更に、プーリ３８ａに伝達された動力は、プーリ３８ａ，３８ｂ、３８ｃに掛け渡されているベルト４２ｂによってプーリ３８ｂ，３８ｃに伝達される。
この様に、プーリ３８ａ，３８ｂ，３８ｃは、サーボモータ４０とベルト４２ａ，４２ｂによって同期されており、ロータリー式遮蔽版３４ａ，３４ｂ，３４ｃは同期して図３に示す矢印方向に回転する。
尚、プーリ３８ａ，３８ｂ，３８ｃに掛け渡されているベルト４２ｂは、プーリ３８ａ、３８ｂの間に設けられた張力調整プーリ４４ａと、プーリ３８ｂ、３８ｃの間に設けられた張力調整プーリ４４ｂとによって所定の張力が付与されている。
【００１４】
図３に示すサーボモータ４０は、プレス装置１２（図１）に設けられている切断刃（フィン形成部分を切断して熱交換器用フィンを形成する切断刃）の動作と同期するように制御部４６によって制御されている。具体的には、プレス装置１２から、図４（ａ）に示す様に、金属帯状体１０のフィン形成部分１０ａが吸着口２２に進入してきたとき、制御部４６は、サーボモータ４０を駆動して、図４（ａ）に示す様に、ロータリー式遮蔽板３４ａ，３４ｂ，３４ｃの各々が吸着口２２に対して直角に位置するように回転する。この様に、ロータリー式遮蔽板３４ａ，３４ｂ，３４ｃの各々が吸着口２２に対して直角に位置して停止したとき、開口部２４，２４からの空気の吸引が停止され、吸着口２２のみから空気が吸引される。このため、進入してきたフィン形成部分１０ａを吸着口２２に吸着できる。
また、図４（ｂ）に示す様に、プレス装置１２の切断刃によってフィン形成部分が切断されて、所定長さの熱交換器用フィンＦが形成されたとき、制御部４６は、サーボモータ４０を駆動して、ロータリー式遮蔽板３４ａ，３４ｂ，３４ｃの各々が吸着口２２に対して平行に位置するように回転する。この様に、ロータリー式遮蔽板３４ａ，３４ｂ，３４ｃの各々が吸着口２２に対して平行に位置して停止したとき、吸着口からの空気の吸引が遮断され、開口部２４，２４から空気が吸引される。このため、吸着口２２に吸着していた熱交換器用フィンＦはスタック装置１８に自重で落下する。
尚、吸着口２２から熱交換器用フィンＦは、強制的に落下させてもよい。
【００１５】
この様に、図２及び図３に示すサクション装置１４では、フィン形成部分１０ａを吸着可能とするロータリー式遮蔽板３４ａ，３４ｂ，３４ｃの位置と、熱交換器用フィンＦを払出可能とするロータリー式遮蔽板３４ａ，３４ｂ，３４ｃの位置との間を、サーボモータ４０を駆動してロータリー式遮蔽板３４ａ，３４ｂ，３４ｃを回転することによって行う。
このため、シリンダ装置によって遮蔽版１１８，１１８を駆動する従来のサクション装置１０８（図６）に比較して、ロータリー式遮蔽板３４ａ，３４ｂ，３４ｃの急速回転及び停止を容易に行うことができ、プレス装置１２の高速化にも対応できる。
更に、ロータリー式遮蔽板３４ａ，３４ｂ，３４ｃは、ロータリー式遮蔽板同士は勿論のこと、筒状体２０の内壁面に接触することなく回転でき、従来のサクション装置１０８の如く、遮蔽版１１８，１１８と筒状体１１４との当接に因る損傷・騒音を解消できる。
【００１６】
ところで、図４（ａ）に示す様に、開口部２４，２４をロータリー式遮蔽板３４ａ，３４ｃによって遮断したとき、ロータリー式遮蔽板３４ａ，３４ｃと開口部２４の内壁面との間に若干の隙間が形成される。また、図４（ｂ）に示す様に、吸着口２２からの空気の吸引をロータリー式遮蔽板３４ａ，３４ｂ，３４ｃによって遮断したとき、ロータリー式遮蔽板３４ａ，３４ｂ，３４ｃの間に若干の隙間が形成される。
しかし、図４（ａ）（ｂ）に示す隙間からの空気の漏れ程度は、排気ファン２８の排気能力に比較して少なく問題ない。
また、図１〜図４に示すサクション装置１４では、三枚のロータリー式遮蔽板３４ａ，３４ｂ，３４ｃを設けていたが、開口部２４，２４を開閉する二枚のロータリー式遮蔽板３４ａ，３４ｃのみであってもよい。
更に、ロータリー式遮蔽板３４ａ，３４ｂ，３４ｃに代えて、同一方向に揺動する三枚の遮蔽板を用いることもできる。この三枚の遮蔽板も、サーボモータ４０の駆動方向を変更して揺動駆動させることができる。かかるサーボモータ４０の駆動方向の変更等の駆動制御は、制御部４６によって行うことができる。
【図面の簡単な説明】
【００１７】
【図１】本発明に係るサクション装置を具備する熱交換器用フィンの製造装置の概略を説明する説明図である。
【図２】本発明に係るサクション装置の一例を説明する正面図である。
【図３】図１に示すサクション装置に用いられているロータリー式遮蔽板を説明する説明図である。
【図４】図３に示すロータリー式遮蔽板の動作を説明する説明図である。
【図５】従来の熱交換器用フィンの製造装置の概略を説明する説明図である。
【図６】図５に示す熱交換器用フィンの製造装置に用いられているサクション装置を説明する説明図である。
【図７】図６に示す遮蔽板１１８の動作を説明する説明図である。
【符号の説明】
【００１８】
１０  金属帯状体
１０ａ  フィン形成部分
１１  コイル
１２  プレス装置
１４  サクション装置
１８  スタック装置
２０  筒状体
２２  吸着口
２４，２４  開口部
２６  モータ
２８  排気ファン
３０  排気ダクト
３２  排気口
３４ａ，３４ｂ，３４ｃ  ロータリー式遮蔽板
３６ａ，３６ｂ，３６ｃ  シャフト
３８ａ，３８ｂ，３８ｃ  プーリ
４０  サーボモータ
４２ａ，４２ｂ  ベルト
４４ａ，４４ｂ  張力調整プーリ
４６  制御部
Ｆ  熱交換器用フィン
【図１】
2009226418.tif 000003
【図２】
2009226418.tif 000004
【図３】
2009226418.tif 000005
【図４】
2009226418.tif 000006
【図５】
2009226418.tif 000007
【図６】
2009226418.tif 000008
【図７】
2009226418.tif 000009